【手続補正書】
【提出日】平成30年8月13日(2018.8.13)
【手続補正１】
【補正対象書類名】特許請求の範囲
【補正対象項目名】全文
【補正方法】変更
【補正の内容】
【特許請求の範囲】
【請求項１】
発電機であって、
第１の端部および第２の端部を有する第１の部分（１）を備え、前記第１の端部は、固定点に固定されるように構成され、前記第２の端部は、前記第１の部分が前記固定点に対して揺れ運動を行なうことができるように自由であり、前記第１の部分（１）は、流体内に位置するように構成され、前記流体が動くと前記流体内に渦を発生させ、前記第１の部分（１）に揚力を発生させて、前記固定点に対する前記第１の部分（１）の振動および揺れ運動を生じさせるように構成され、前記振動運動は振幅を有し、前記発電機はさらに、
前記第１の部分（１）を少なくとも部分的に取囲む第２の部分（２）を備え、
前記発電機は、前記第１の部分（１）と前記第２の部分（２）との間に磁気反発力を生じさせる磁場を発生させるためのシステムを備え、前記磁気反発力は、前記第１の部分（１）の前記振動運動によって変化し、前記第１の部分（１）の前記振動運動の前記振幅が増加すると増加する最大値を有することを特徴とする、発電機。
【請求項２】
磁場を発生させるための前記システムは、前記第１の部分（１）に関連付けられる少なくとも１つの第１の磁石（３０）と、前記第２の部分（２）に関連付けられる少なくとも１つの第２の磁石（４０）とを備え、
前記少なくとも１つの第１の磁石（３０）および前記少なくとも１つの第２の磁石（４０）は、互いに反発するように配置され、前記第１の部分の前記振動運動が生じると前記振動運動に従って前記少なくとも１つの第１の磁石と前記少なくとも１つの第２の磁石との間の距離が変化するように配置される、請求項１に記載の発電機。
【請求項３】
前記少なくとも１つの第１の磁石（３０）は、少なくとも２つの正反対の部分を備え、前記少なくとも１つの第２の磁石（４０）は、前記少なくとも１つの第１の磁石（３０）の前記少なくとも２つの正反対の部分に対向する少なくとも２つの正反対の部分を備える、請求項２に記載の発電機。
【請求項４】
前記少なくとも１つの第１の磁石は、少なくとも１つのリング（３０）として構成される、請求項３に記載の発電機。
【請求項５】
前記少なくとも１つの第２の磁石（４０）は、少なくとも１つのリングとして構成される、請求項３または４に記載の発電機。
【請求項６】
前記少なくとも１つの第１の磁石（３０）は、前記発電機の土台から異なる高さのところに配置された複数の磁石（３０）を備え、前記少なくとも１つの第２の磁石（４０）は、前記発電機の前記土台から異なる高さのところに配置された複数の磁石（４０）を備える、請求項２〜５のいずれか１項に記載の発電機。
【請求項７】
前記少なくとも１つの第１の磁石（３０）は、第１の複数の磁石（３０）を備え、前記第１の複数の磁石（３０）は、実質的に互いに隣接して配置され、前記第１の複数の磁石（３０）によって発生する磁場が、前記少なくとも１つの第２の磁石（４０）に対向する前記磁石の側で反対側よりも強くなるような極性で配置され、および／または
前記少なくとも１つの第２の磁石（４０）は、第２の複数の磁石（４０）を備え、前記第２の複数の磁石（４０）は、実質的に互いに隣接して配置され、前記第２の複数の磁石（４０）によって発生する磁場が、前記少なくとも１つの第１の磁石（３０）に対向する側で反対側よりも強くなるような極性で配置される、請求項２〜６のいずれか１項に記載の発電機。
【請求項８】
前記少なくとも１つの第１の磁石（３０）および前記少なくとも１つの第２の磁石（４０）は、前記第１の部分の長手方向軸に対して傾斜した態様で配置される、請求項２〜７のいずれか１項に記載の発電機。
【請求項９】
前記第１の部分は、前記振動運動の前記振幅が少なくとも特定の速度範囲内で前記流体の速度とともに増加するように配置される、請求項１〜８のいずれか１項に記載の発電機。
【請求項１０】
前記少なくとも１つの第１の磁石と前記少なくとも１つの第２の磁石との間の前記反発力は、前記第１の磁石と前記第２の磁石との間の前記距離の二乗に反比例し、前記流体の速度が増加すると、前記振動運動の前記振幅は増加する傾向があり、それによって、前記磁石は、各振動周期の最大接近部分の最中は近付く傾向があり、それによって、各振動周期において前記少なくとも１つの第１の磁石と前記少なくとも１つの第２の磁石との間に生じる最大反発力は、それに従って増加し、それによって、前記反発力の前記増加は、前記第１の部分の共振振動数を増加させ、それによって、前記発電機の構造は、前記流体の前記速度が増加したときの前記第１の部分の前記共振振動数の自動的な増加に寄与し、逆の場合も同様である、請求項２〜８のいずれか１項に記載の発電機。
【請求項１１】
前記第１の部分は、実質的に剛直な部分（１１）と、前記固定点に固定された別の実質的に柔軟な弾性部分（１２）とを備え、その結果、前記実質的に柔軟な弾性部分の柔軟性および弾性を前提として、前記第１の部分は、前記固定点に対する揺れ運動を行なうことができる、請求項１〜１０のいずれか１項に記載の発電機。
【請求項１２】
前記発電機は、磁石のサブシステム（３０，３１，３２，３００）と、少なくとも１つのコイル（５０，５００）とを備え、前記発電機は、前記第１の部分（１）の前記振動運動が、前記磁石のサブシステム（３０，３１，３２，３００）と前記少なくとも１つのコイル（５０，５００）との間に相対的変位を生じさせて、前記少なくとも１つのコイル（５０，５００）に起電力を発生させるように構成される、請求項２〜８および１０のいずれか１項に記載の発電機。
【請求項１３】
前記磁石のサブシステムは、前記少なくとも１つの第１の磁石（３０）を含む、請求項１２に記載の発電機。
【請求項１４】
前記磁石のサブシステム（３０，３１，３２，３００）は、複数の磁石を備え、前記複数の磁石は、前記振動運動中に前記第１の部分（１）が中立位置から極端に傾斜した位置に移動すると、前記少なくとも１つのコイルが磁場の少なくとも１つの方向変化、好ましくは磁場の複数の方向変化にさらされるように配置される、請求項１２または１３に記載の発電機。
【請求項１５】
前記磁石のサブシステムは、前記発電機の土台から異なる高さのところに配置された少なくとも二組の磁石を備え、磁石の各組は、複数の磁石リング（３０，３１，３２）を備え、前記複数の磁石リング（３０，３１，３２）は、少なくとも１つの方向変化、好ましくは少なくとも２つの方向変化、より好ましくは少なくとも４つの方向変化を径方向に有する磁場が前記磁石の組の間に確立されるように、前記第１の部分（１）の周囲に同軸に配置される、請求項１４に記載の発電機。
【請求項１６】
前記コイルは、前記第２の部分（２）に配置され、前記磁石のサブシステムは、前記第１の部分（１）に配置される、請求項１２〜１５のいずれか１項に記載の発電機。
【請求項１７】
前記磁石のサブシステム（３００）と前記少なくとも１つのコイル（５０，５００）との間に前記相対的変位を生じさせるために、第１の発電機モジュール（２００）と、前記第１の部分（１）の長手方向軸（１００）と平行に前記第１の発電機モジュール（２００）に対して動かせる第２の発電機モジュール（４００）とを備える発電機サブシステムを備える、請求項１２に記載の発電機。
【請求項１８】
前記第１の発電機モジュール（２００）は、固定された発電機モジュールである、請求項１７に記載の発電機。
【請求項１９】
前記第２の発電機モジュール（４００）は、複数の接続部材（６０５）によって前記第１の発電機モジュール（２００）に接続され、前記複数の接続部材（６０５）は、前記第１の部分（１）の前記長手方向軸（１００）と平行な前記第２の発電機モジュール（４００）の動きを可能にし、前記第２の発電機モジュール（４００）が前記第１の発電機モジュール（２００）と接触することを防止するように配置される、請求項１７および１８のいずれか１項に記載の発電機。
【請求項２０】
前記第２の発電機モジュール（４００）は、磁石（２２０，４２０）および／またはばねを備える第１の付勢手段によって第１の方向に付勢され、前記第１の方向は、前記第１の部分（１）の前記長手方向軸（１００）と平行である、請求項１７〜１９のいずれか１項に記載の発電機。
【請求項２１】
前記第１の部分（１）の前記振動運動中に、前記第１の部分の前記長手方向軸（１００）と平行に前記第２の発電機モジュールを変位させるように前記第２の発電機モジュール（４００）に対して力がかけられるように配置され、前記力は、前記第１の部分（１）の前記振動運動中に変化する、請求項１７〜２０のいずれか１項に記載の発電機。
【請求項２２】
前記第１の部分の前記振動運動の結果として前記第２の発電機モジュール（４００）の振動運動が生じるように配置され、前記第２の発電機モジュール（４００）の前記振動運動は、前記第１の部分（１）の前記長手方向軸（１００）と平行な方向であり、前記第１の部分（１）の前記振動運動の振動数よりも高い振動数を有する、請求項１７〜２１のいずれか１項に記載の発電機。
【請求項２３】
前記第１の部分（１）は、第１の質量を有し、前記第２の発電機モジュール（４００）は、前記第１の質量よりも実質的に小さな第２の質量を有する、請求項１７〜２２のいずれか１項に記載の発電機。
【請求項２４】
前記第２の部分は、前記磁石のサブシステム（３００）と前記少なくとも１つのコイル（５０，５００）との間に前記相対的変位を生じさせるために、第１の発電機モジュール（２００）と、前記第１の発電機モジュール（２００）に対して動かせる第２の発電機モジュール（４００）とを備え、前記第２の発電機モジュール（４００）は、前記第１の部分（１）の前記振動運動の振動数とは異なる振動数で前記第１の発電機モジュール（２００）に対して振動することができるように吊り下げられる、請求項１２に記載の発電機。
【請求項２５】
前記第２の発電機モジュール（４００）は、前記第１の部分（１）の前記振動運動中に前記第１の部分によって繰返し起動されるように配置される、請求項２４に記載の発電機。
【請求項２６】
前記第２の発電機モジュール（４００）は、前記第１の部分（１）と前記第２の発電機モジュール（４００）との間の磁気的相互作用によって、前記第１の部分（１）の前記振動運動中に前記第１の部分によって繰返し起動されるように配置される、請求項２５に記載の発電機。
【請求項２７】
前記第１の部分は、前記第１の部分が振動していないときに概して垂直に延在する長手方向軸（１００）を有し、前記第２の発電機モジュール（４００）は、垂直に振動するように配置される、請求項２４〜２６のいずれか１項に記載の発電機。
【請求項２８】
前記第１の部分（１）は、振動するポールを備え、前記第２の部分（２）は、前記ポールの土台に対応して位置する静的構造を備える、請求項１〜２７のいずれか１項に記載の発電機。
【請求項２９】
発電機を風速と同調させるための方法であって、前記発電機は、第１の端部および第２の端部を有する第１の部分（１）を備え、前記第１の端部は固定点に固定され、前記第２の端部は自由であり、前記第１の部分（１）は、流体内に位置するように構成され、前記流体が動くと前記流体内に渦を発生させ、前記第１の部分（１）に揚力を発生させて、前記固定点に対する前記第１の部分（１）の振動および揺れ運動を生じさせるように構成され、前記発電機はさらに、前記第１の部分を少なくとも部分的に取囲む第２の部分（２）を備え、
前記方法は、互いに反発するように少なくとも１つの第１の磁石（３０）および少なくとも１つの第２の磁石（４０）を前記第１の部分および前記第２の部分（２）にそれぞれ配置するステップを備える、方法。
【手続補正２】
【補正対象書類名】明細書
【補正対象項目名】００７４
【補正方法】変更
【補正の内容】
【００７４】
固い棒の場合、その固有振動数は以下の通りである：
ω＝（（（Ｉ＊Ｅ＊Ｋ４）／ｄ）−ａ２）（１／２）
式中、Ｅはヤング率であり、Ｉは断面慣性モーメントであり、ｄは長さの単位当たりの棒の密度であり、Ｋは振動の空間モード（第１のモードおよびその高調波）であり、ａは減衰定数である。構造が減衰されればされるほど（言い換えれば、粘性損失、摩擦などの形態でそこからエネルギが抽出されればされるほど）、振動数は低くなる。いかなる構造の固有振動数も、それがさらされる減衰に左右される。その結果、発電機から電力が抽出されればされるほど、例えば構造に張力をかけること、その剛性を増加させることなどによってこれがオフセットされない限り、その固有振動数は小さくなる。